【事件の表示】
　特願２００６−１２５８０４「橋脚の鋼板を用いた補強方法」拒絶査定不服審判事件〔平成１９年１１月１５日出願公開、特開２００７−２９７８２６〕について、次のとおり審決する。
【結　論】
　本件審判の請求は、成り立たない。
【理　由】
１．手続の経緯及び本願発明
　本願は，平成１８年４月２８日の出願であって，平成２１年５月２５日付けで拒絶査定がなされ，これに対し，同年９月１日に拒絶査定に対する審判請求がなされ，同日付で手続補正書が提出されたものである。
　
　そして，その請求項１に係る発明は，平成２１年９月１日付け手続補正書で補正された特許請求の範囲の請求項１に記載された事項により特定される次のとおりのものであると認める。
　
「【請求項１】
　橋脚の周囲の地中に、端部に継手を有する鋼板を挿入するとともに、隣接する鋼板を継手で互いに係合して、橋脚の周囲を多数の鋼板で囲んで閉合する工程と、
　橋脚とその周囲を囲んで閉合された多数の鋼板との間が２００ｍｍ〜５００ｍｍ程度の狭隘箇所の土砂に高圧ジェット水を噴出して土砂を掘削するとともに、その掘削土を吸引して排出する工程と、
　橋脚とその周囲を囲んで閉合された多数の鋼板との間の前記狭隘箇所の空間に固化材を充填する工程とからなることを特徴とする橋脚の鋼板を用いた補強方法。」
（以下，「本願発明」という。）
　
２．引用刊行物に記載された発明
　刊行物１：特開２００２−４３０１号公報
　刊行物２：特開平１１−５９８９８号公報
　刊行物３：特開平９−５３２０８号公報
　
（１）刊行物１
　原査定の拒絶の理由に引用され，本願出願前に頒布された上記刊行物１には，図面とともに，以下の記載がある。
（１ａ）「【請求項１】  柱状構造物の地中に埋設された部分の外周を鋼板ブロックにより被覆する補強方法において、
柱状構造物の外周に複数の鋼板部材を当てがって互いの接合端部を接合して鋼板ブロックを形成し、
前記鋼板ブロックの上端縁に、押圧部材と、当該押圧部材上に設置されると共に、地中に埋設のアンカーから上方に延びるテンション伝達用のロッドに端部を固定可能にした油圧ジャッキとを備える圧入装置を組み立て設置し、
前記油圧ジャッキを伸長操作することで鋼板ブロックを押し下げて地中に圧入し、
前記鋼板ブロックを所定量圧入後に前記圧入装置を分解除去すると共に、当該鋼板ブロックの上端縁につぎの鋼板ブロックを接合して継ぎ足し、
ついで、継ぎ足した前記鋼板ブロックの上端縁に前記圧入装置を組み立て設置し、前記油圧ジャッキの伸長操作で先に接合の鋼板ブロックを押し下げて地中に圧入し、
前記鋼板ブロックの形成、圧入装置の組み立て設置、鋼板ブロックの圧入、圧入装置の分解除去および、鋼板ブロックの継ぎ足し施工工程の繰り返しで鋼板ブロックを圧入することを特徴とする柱状構造物の補強方法。
・・・
【請求項４】  請求項１〜３の何れか１項に記載の柱状構造物の補強方法であって、前記鋼板ブロックと柱状構造物との間の隙間を高圧ジェット水で洗浄したのち、この間隙にモルタル等の充填材を充填することを特徴とする柱状構造物の補強方法。」
（１ｂ）「【０００１】
【発明の属する技術分野】本発明は、橋脚および基礎（例えば、ケーソン、ＰＣウェル、コンクリート杭、鋼管杭など）、その他の柱状構造物の地中に埋設されている部分の補強（補修）方法に関する。」
（１ｃ）「【００２０】まず、図１〜図４によって説明する。図１、図２に示す第１施工工程では、橋脚３の周囲を被覆する鋼板ブロック１の形成および、これを地中に圧入する圧入装置２のセットアップ作業を行う。・・・
【００２１】橋脚３を被覆する鋼板ブロック１は、例えば、橋脚３の円形断面の周りを半円形に曲げ形成した２つの鋼板部材１ａ（例えば厚さ９ｍｍ程度）で取囲み、さらに、この鋼板部材１ａ同士の両端縁を突き合わせたうえ、その両端縁を橋脚３の長手方向に沿って溶接して一体化し、所定長の中空円筒状としてを形成する。・・・」
（１ｄ）「【００２３】・・・橋脚３と鋼板ブロック１と押圧板５の３部材がほぼ同芯に配置され、橋脚３と鋼板ブロック１との隙間（例えば１０ｃｍ程度）が全周にわたり均一になると共に、押圧板５が確実に鋼板ブロック１を押圧することができる。」
（１ｅ）「【００２６】前述のようにして、第１施工工程として示すセット準備が完了した後、図５に示す第２施工工程において、油圧により油圧ジャッキ１１を伸長させる。このときアンカー１３に固定されたテンション伝達用のロッド１２が引張反力を受けるので、油圧による押し下げ力が２対の桁９，９および、押圧板５を介して鋼板ブロック１に作用し、鋼板ブロック１をジャッキの強力な力で押し下げ、地中に圧入する。
【００２７】次に、図６に示す第３施工工程で、油圧ジャッキ１１を短縮させ、圧入装置２を分解して取り外す。さらに、この工程で図７に示すように、第２ロットの鋼板ブロック１を溶接等により第１ロットの鋼板ブロック１の上に継ぎ足す。
【００２８】次に、図７に示す第４施工工程で、第２ロットの鋼板ブロック１の上端縁に圧入装置２を組み立てる。こうして、油圧ジャッキ１１に油圧をかけて第１、第２ロットの鋼板ブロック１を押し下げて、地中に圧入する。
【００２９】このとき同時に、清水タンク１４内の清水をウォータージェットカッター１５を介して、送水管１８の先端から鋼板ブロック１と橋脚３との間の隙間１６に高圧ジェット水として噴出させる。図７（Ｂ）は同図（Ａ）のＦ部の拡大図であり、鋼板ブロック１の下端部近くまで導いた送水管１８の噴出ノズル１９から、高圧水を下方向に噴出する状態を示している。またこのとき、同時に隙間１６内に空気を注入し、この空気によるエアリフト作用を併用して、隙間１６内の水中で浮遊するスライムを泥水タンク１７に排出する。前述のようにして、鋼板ブロック１の圧入時に高圧ジェット水を併用することにより、固い地山等でも、圧入が容易になる。
【００３０】こうして、鋼板ブロック１の圧入作業が完了すると、図８（Ａ）に、第５施工工程として示すように、ウォータージェットカッター１５により送水管１８を介して高圧ジェット水を横方向または下方向に噴出し、鋼板ブロック１と橋脚３との間の隙間１６を洗浄する。図８（Ｂ）は図８（Ａ）のＧ部の拡大図であり、送水管１８の噴出ノズル１９から高圧水を横方向に噴出する状態を示す。
【００３１】こうして鋼板ブロック１を継ぎ足して、圧入する作業を繰り返し、地中の所定深さまでこの鋼板ブロック１の列を圧入する。
【００３２】そして、図９に第６施工工程として示すように、各鋼板ブロック１と橋脚３との間の隙間１６内にモルタル等の充填材２０を注入する。」
　
　以上の記載事項（１ａ）〜（１ｅ）から見て，刊行物１には，以下の発明が記載されているものと認められる。（以下，「刊行物１記載の発明」という。）
　
「橋脚の外周に複数の鋼板部材を当てがって互いの接合端部を接合して鋼板ブロックを形成し，鋼板ブロックを押し下げて地中に圧入し，
　鋼板ブロックと橋脚との間の１０ｃｍ程度の隙間を高圧ジェット水で洗浄したのち、この隙間にモルタル等の充填材を充填する橋脚の補強方法。」
　
（２）刊行物２
　原査定の拒絶の理由に引用され，本願出願前に頒布された上記刊行物２には，図面とともに，以下の記載がある。
（２ａ）「【０００１】
【発明の属する技術分野】本発明は、土木技術を用いて鋼管、ヒューム管等を布設する施工途中において管内に堆積することとなった土砂を除去するために用いられる管内掘削装置に関するものである。」
（２ｂ）「【００１５】また、符号６は当該土砂２を除去している管内掘削装置であって、混気ジェットポンプユニット１１と、ウォータージェットユニット１２とで構成されている。」
（２ｃ）「【００２４】（２）管内掘削開始
そして、ウォータージェットユニット１２を始動させて棒状ノズル４３の先端から土砂２へ向けて高圧ジェット水を噴射させると、堆積していく過程で締め固められ、半分固結している状態の土砂２が洗掘され、土砂２は、固結状態から解放される。また、コンプレッサー２７を始動させてエアー管２７ａ、及びエアー曲管４５を通じて先端短管２１の管内へ圧縮空気を導入する。
【００２５】次いで、ジェットポンプ２５ａを始動させて高圧ジェット水をジェット水導入管２５を通じてＴ字管２４の上流側から下流側へと連続的に送り出すと、Ｔ字管２４から分岐しているフレキシブル管２３、継ぎ足し管２２、先端短管２１、及び導入管２１ａの内部が真空化していき、これにより、導入管２１ａの吸引口において吸引力が発生することになり、混気ジェットポンプユニット１１が作動を開始する。
【００２６】すると、棒状ノズル４３からの高圧ジェット水の噴射によって固結状態から解放された土砂２は、鋼管１の管内の水と共に導入管２１ａの吸引口から順次吸引されていく。この時、土砂２の中にレキを混入している場合でも、導入管２１ａ等の内径以下のレキであれば、吸引して搬送することができる。
・・・
【００２８】この土砂２を含む水が高圧ジェット流となって吸引口から吸引されて先端短管２１まで搬送されてくると、エアー曲管４５から先端短管２１の管内へ導入されてきた圧縮空気と合流して高圧ジェット流が当該圧縮空気によって被覆され、これにより、キャビテーションがかなり解消され、その結果、高圧ジェット水は推力を落とさないで、高いエネルギー状態を維持しながら一気に排出口まで到達する。」
　
　以上の記載事項（２ａ）〜（２ｃ）から見て，刊行物２には，以下の発明が記載されているものと認められる。（以下，「刊行物２記載の発明」という。）
　
「ウォータージェットノズルの棒状ノズルからの高圧ジェット水の噴射によって固結状態から解放された土砂が，混気ジェットポンプの吸引口から順次吸引されて搬送される，鋼管等の管内の土砂の掘削方法。」
　
（３）刊行物３
　原査定の拒絶の理由に引用され，本願出願前に頒布された上記刊行物３には，図面とともに，以下の記載がある。
（３ａ）「【０００７】
【発明の実施の形態】以下、本発明を鉄道や道路等の構造物である橋脚に適用した図示の実施の形態を図面により説明すると、図１乃至図１７において１は矩形断面の鉄筋コンクリート製の橋脚で、・・・また橋脚１の下端は地下に埋設した塊状の地中梁３に連結され、該橋脚１の地下部１ａと地上部１ｂの周面に、耐震強度強化用の補強枠４が装着される。
【０００８】補強枠４は橋脚１と相似形状の鉄製の管体で構成され、これは橋脚１の地下部１ａに装着する地下枠４（Ｉ）と、橋脚１の地上部１ｂに装着する地上枠４（ＩＩ）とで構成され、・・・
【０００９】・・・これらの地下枠４（Ｉ）と地上枠４（ＩＩ）とは、鋼板を略コ字形に屈曲成形した一対の枠片４ａ〜４ｈを向き合わせ、その接合部５を縦方向に溶接するとともに、上下に隣接する枠片４ａ〜４ｈの接合部６を横方向に溶接して、順次上下方向に組み付けられている。
【００１０】上記接合部５に位置する各対の枠片４ａ〜４ｈの端部は、図１３のようにテーパ状に形成され、この一方、図示の場合は枠片４ｃの内外面に継手７，７が突設され、これらの間に枠片４ｄの端部を挿入して、各対の枠片の左右位置を位置決め可能にしている。・・・」
　
　以上の記載事項（３ａ）から見て，刊行物３には，以下の発明が記載されているものと認められる。（以下，「刊行物３記載の発明」という。）
　
「橋脚の地下部と地上部の周面に，耐震強度強化用に装着する地下枠と地上枠とからなる補強枠であって，
　地下枠及び地上枠は，鋼板を略コ字形に屈曲成形した一対の枠片を向き合わせ，その接合部を縦方向に溶接するとともに，上下に隣接する枠片の接合部を横方向に溶接して，順次上下方向に組み付けられるものであり，
　縦方向に溶接する一方の枠片の接合部には継手が突設され，他方の枠片の端部を挿入して，各対の枠片の左右位置を位置決め可能にしている補強枠。」
　
３．対比
　本願発明と刊行物１記載の発明とを対比すると，刊行物１記載の発明の「鋼板部材」が，本願発明の「鋼板」に相当し，以下同様に，「地中に圧入し」が「地中に・・・挿入する」に，「鋼板ブロックと橋脚との間」が「橋脚とその周囲を囲んで閉合された・・・鋼版との間」に，「モルタル等の充填材」が「固化材」に，「橋脚の補強方法」が「橋脚の鋼板を用いた補強方法」に，それぞれ相当する。
　また，本願発明の「橋脚とその周囲を囲んで閉合された多数の鋼板との間が２００ｍｍ〜５００ｍｍ程度の狭隘箇所」と刊行物１記載の発明の「鋼板ブロックと橋脚との間の１０ｃｍ程度の隙間」はいずれも「狭隘箇所」である点で共通している。
　さらに，本願発明の「狭隘箇所の土砂に高圧ジェット水を噴出して土砂を掘削するとともに、その掘削土を吸引して排出する工程」と，刊行物１記載の発明の「鋼板ブロックと橋脚との間を高圧ジェット水で洗浄した」点は，いずれもその後，このように形成された狭隘箇所に固化材を充填しているので，両者は「固化材を充填する狭隘箇所を形成する工程」である点で共通している。
　
よって，両者は，
「橋脚の周囲の地中に，鋼板を挿入するとともに，橋脚の周囲を鋼板で囲んで閉合する工程と，
　橋脚とその周囲を囲んで閉合された鋼板との間に固化材を充填する狭隘箇所を形成する工程と，
　橋脚とその周囲を囲んで閉合された鋼板との間の前記狭隘箇所の空間に固化材を充填する工程とからなる橋脚の鋼板を用いた補強方法。」
である点で一致し，以下の点で相違している。
　
（相違点１）
　橋脚の周囲を鋼板で囲んで閉合する工程について，本願発明は，多数の，端部に継手を有する鋼板を，隣接する鋼板を継手で互いに係合するのに対し，刊行物１記載の発明は，鋼板が「複数」であるものの「多数」ではなく，また，隣接する鋼板を継手で互いに係合するものではない点。
　
（相違点２）
　橋脚とその周囲を囲んで閉合された鋼板との間の狭隘箇所について，本願発明は，２００ｍｍ〜５００ｍｍ程度であるのに対し，刊行物１記載の発明は，１０ｃｍ程度である点。
　
（相違点３）
　固化材を充填する狭隘箇所を形成する工程について，本願発明は，狭隘箇所の土砂に高圧ジェット水を噴出して土砂を掘削するとともに，その掘削土を吸引して排出するのに対し，刊行物１記載の発明は，高圧ジェット水で洗浄している点。
　
４．判断
　上記相違点について検討する。
（相違点１について）
　端部に継手を有する鋼板は刊行物３に記載されており，そもそも，鋼板の数が多数であって，隣接する鋼板を継手で互いに係合することにより，橋脚の周囲を囲んで閉合した点は周知の技術（例えば，特開２００１−１０７３１９号公報，特開２００５−１８００１８号公報等参照）である。
　そして，刊行物１記載の発明及び刊行物３記載の発明，並びに周知の技術はいずれも橋脚の補強に係る技術で共通しているから，刊行物１記載の発明の鋼板部材に代えて，刊行物３記載の発明及び周知の技術を適用することは，当業者が容易になし得たことである。
　
（相違点２について）
　狭隘箇所を２００ｍｍ〜５００ｍｍとした点について，その技術的意義及び数値の臨界的意義を理解するために本願の発明の詳細な説明を見ると，当初明細書の段落【００４８】には「なお、以上の実施形態においては、閉合された直線形鋼矢板と橋脚の間が２００ｍｍ程度の狭隘箇所としたが、本発明はこれに限定されるものではなく、直線形鋼矢板と橋脚の間が５００ｍｍ程度までの狭隘箇所であっても良い。」と記載され，本願発明の数値範囲について，その技術的意義及び数値の臨界的意義は必ずしも明らかではない。してみると，狭隘箇所の間隔は，補強の強度や打設する固化材の量等を勘案して当業者適宜決定するものであると言え，刊行物１記載の発明の狭隘箇所を２００ｍｍ〜５００ｍｍとすることは，当業者が適宜なし得た事項である。
　
（相違点３について）
　刊行物１記載の発明の「高圧ジェット水で洗浄」する際，狭隘箇所の土砂を吸引して排出しているかは明確に示されていないが，この後の工程において固化材を充填すること，また，刊行物１の図８（Ａ）の「本発明の実施形態における第５施工工程（高圧ジェット水で洗浄する工程）の断面図」に泥水タンクが接続されている点が開示されていることを考慮すると，刊行物１記載の発明の「高圧ジェット水で洗浄」する工程においては，刊行物１記載の発明の第４施工工程同様，エアリフト作用を併用してスライムを排出していると考えられる。ここで，「スライム」とは掘削によって生じた掘り屑に高圧ジェット水で生じた水が混ざって泥状となったものであって，当該掘り屑が掘削土と言え，刊行物１記載の発明が，掘削土を排出していることは明らかである。
　一方，地中を掘削し，掘削土を排出する手段として，刊行物２には，ウォータージェットノズルから高圧ジェット水を噴射して土砂を掘削し，掘削土を吸引して排出する技術が記載されている。
　したがって，固化材を充填する狭隘箇所を形成するに際し，刊行物１記載の発明における高圧ジェット水で洗浄する方法に代えて，刊行物２記載の発明を適用することは，当業者が容易になし得たことである。
　
　そして，本願発明の効果は，刊行物１〜３記載の発明及び周知の技術から予測することができる程度のことである
　
５．むすび
　以上のとおり，本願発明は，刊行物１〜３記載の発明及び周知の技術に基づいて，当業者が容易に発明をすることができたものであるから，特許法第２９条第２項の規定により特許を受けることができないものであり，本件は拒絶すべきものである。
　
　よって，結論のとおり審決する。